(57)【要約】【課題】吸入粉末製剤用ブリスタカプセルを飲むことができない大きさとすることにより、信頼性を向上する。【解決手段】吸入粉末製剤用ブリスタカプセル１を構成する底板部２と蓋板部４とは、円板状に形成し、その直径寸法Ｄ１は患者が飲むことが困難な大きさとなる２５ｍｍ以上に設定している。従って、患者がブリスタカプセル１を飲もうとしても、底板部２と蓋板部４により飲むことができないから、間違えて飲込むような事態を未然に防ぐことができ、信頼性を向上することができる。【選択図】        図１
2005021502.tif 000002
【特許請求の範囲】
【請求項１】
膨出部が形成された底板部と、該底板部の膨出部内に粉末製剤を収容した状態で該膨出部を閉塞する蓋板部とからなる吸入粉末製剤用ブリスタカプセルにおいて、
前記底板部と蓋板部とのうち、少なくとも一方側の部材を患者が飲むことが困難な大きさに形成したことを特徴とする吸入粉末製剤用ブリスタカプセル。
【請求項２】
前記底板部と蓋板部とのうち、少なくとも一方側の部材は、最も小さい部分の長さ寸法を２５ｍｍ以上に設定してなる請求項１に記載の吸入粉末製剤用ブリスタカプセル。
【請求項３】
前記底板部と蓋板部は、アルミニウム、プラスチック、ゼラチン、セルロースの中から選択される材料を用いて形成してなる請求項１または２に記載の吸入粉末製剤用ブリスタカプセル。
【発明の詳細な説明】
【０００１】
【発明の属する技術分野】
本発明は、例えば息の吸込みにより気管、肺、気管支等に投与される粉末製剤を収容するのに用いて好適な吸入粉末製剤用ブリスタカプセルに関する。
【０００２】
【従来の技術】
昨今では、粉末製剤を吸入して気管、肺等に投与することが行なわれており、例えば喘息、インフルエンザ、扁桃腺等の治療薬、睡眠導入剤、医療用麻薬等を投与する場合に適用することが考えられている。この粉末製剤は、湿気、雑菌等を嫌うために気密性の高いブリスタパックに収容されている。
【０００３】
このブリスタパックは、膨出部が形成された底板部と、該底板部の膨出部を閉塞する蓋板部とにより構成されている。また、ブリスタパックは、飲むものではないためプラスチック、アルミニウム等の材料を用いて形成されている。しかし、患者がブリスタパックを誤まって飲んでしまうことは考えられる。
【０００４】
そこで、ブリスタパックには、底板部と蓋板部の角隅部を円弧状に形成することにより、のど等が傷付くのを防止したものがある（例えば、特許文献１参照）。
【０００５】
【特許文献１】
特開平１０−１５０３１号公報
【０００６】
【発明が解決しようとする課題】
ところで、上述した従来技術によるブリスタパックは、患者が誤まって飲んでしまった場合に、底板部と蓋板部の角隅部によりのどを傷付けないように、この角隅部を丸めている。即ち、このブリスタパックは、飲むことができる大きさを前提としているため、患者がブリスタパックを誤まって飲むという事態を防止することはできないという問題がある。
【０００７】
本発明は、上述した従来技術の問題に鑑みなされたもので、本発明の目的は、飲むことができない大きさとすることにより、信頼性を向上することができるようにした吸入粉末製剤用ブリスタカプセルを提供することにある。
【０００８】
【課題を解決するための手段】
上述した課題を解決するために請求項１の発明は、粉末製剤を収容する膨出部が形成された底板部と該膨出部を閉塞する蓋板部とのうち、少なくとも一方側の部材を患者が飲むことが困難な大きさに形成している。
【０００９】
このように構成したことにより、患者が吸入粉末製剤用ブリスタカプセルを飲もうとしても、底板部と蓋板部の少なくとも一方側は飲むことが困難な大きさに形成されているから、間違えて飲込むような事態を未然に防ぐことができ、信頼性を向上することができる。
【００１０】
また、請求項２の発明は、底板部と蓋板部とのうち、少なくとも一方側の部材は、最も小さい部分の長さ寸法を２５ｍｍ以上に設定している。
【００１１】
これにより、２５ｍｍ以上の大きさを有する底板部、蓋板部は、飲むことができないから、吸入粉末製剤用ブリスタカプセルの誤飲を防止することができる。
【００１２】
また、請求項３の発明は、底板部と蓋板部は、アルミニウム、プラスチック、ゼラチン、セルロースの中から選択される材料を用いて形成している。これにより、底板部と蓋板部を色々な材料から形成することができる。
【００１３】
【発明の実施の形態】
以下、本発明の実施の形態に係る吸入粉末製剤用ブリスタカプセルについて、吸入式投薬器を用いて患者に粉末製剤を投与する場合を例に挙げ、添付図面に従って詳細に説明する。
【００１４】
まず、図１ないし図７は本発明の第１の実施の形態を示している。図１において、１は第１の実施の形態による吸入粉末製剤用ブリスタカプセル（以下、ブリスタカプセル１という）で、該ブリスタカプセル１は、後述の粉末製剤６を収容するもので、患者が飲込むことができないような大きさに形成されている。そして、ブリスタカプセル１は、後述する底板部２と蓋板部４とにより大略構成されている。
【００１５】
２はブリスタカプセル１のベースとなる底板部で、該底板部２は、後述する吸入式投薬器１１の穴あけ具２２を用いて穴あけ可能な材料、例えばアルミニウム、プラスチック、ゼラチン、セルロース等の材料を用いて形成されている。また、底板部２は、図１、図２に示すように、薄肉な円板状に形成され、その中央部には膨出部３が一体に形成されている。そして、膨出部３は、底板部２の直径方向に長円形状に延びた膨らみとして形成されている。
【００１６】
ここで、円板状の底板部２は、その直径寸法Ｄ１が患者が飲むことが困難な大きさ、具体的には、局方で定められたカプセルの最大寸法よりも大きな２５ｍｍ以上の大きさに設定されている。これにより、患者がブリスタカプセル１を飲もうとした場合でも、２５ｍｍ以上の直径寸法Ｄ１を有する底板部２が飲むのを確実に阻止することができる。
【００１７】
また、底板部２の直径寸法Ｄ１は２５ｍｍ以上とすればよいが、好ましくは、ブリスタカプセル１を取扱うときの便宜性を考えて、２５〜８０ｍｍの範囲に設定するのが適正である。
【００１８】
４は底板部２の表面に貼付けられた蓋板部で、該蓋板部４は、底板部２の膨出部３を閉塞することにより、該膨出部３との間に収容空間５を画成している。また、蓋板部４は、底板部２とほぼ同様に、穴あけ可能な材料、例えばアルミニウム、プラスチック、ゼラチン、セルロース等の材料を用い、薄肉な円板状に形成されている。
【００１９】
さらに、円板状の蓋板部４は、底板部２と同様の直径寸法Ｄ１、即ち、２５ｍｍ以上の寸法に設定されている。これにより、蓋板部４によってもブリスタカプセル１の誤飲を阻止することができる。
【００２０】
一方、６はブリスタカプセル１に収容される粉末製剤で、該粉末製剤６は、口から吸入することにより気管、肺、気管支等に投与されるものである。そして、粉末製剤は、例えば１回の投薬に必要な規定量が、底板部２の膨出部３と蓋板部４との間に画成された収容空間５内に収容されている。
【００２１】
次に、ブリスタカプセル１を用いて患者に粉末製剤６を投与する吸入式投薬器１１について、図３ないし図７を参照しつつ説明する。
【００２２】
図３において、１１は吸入粉末製剤用ブリスタカプセル１を用いて患者に粉末製剤６を投与する吸入式投薬器で、該吸入式投薬器１１は、後述のボディ１２、マウスピース１４、カプセルホルダ１６、穴あけ具２２等により大略構成されている。
【００２３】
１２は吸入式投薬器１１の一側に位置して該吸入式投薬器１１の外形をなすボディで、該ボディ１２は、略円筒状に形成された筒状体１２Ａと、該筒状体１２Ａの外周から図３中の上向きに突設され、後述する穴あけ具２２の支持部２２Ａを可動に支持する長円筒状の穴あけ具ガイド１２Ｂとから構成されている。また、筒状体１２Ａの内周側には後述のホルダ収容部１３が形成されている。
【００２４】
１３はボディ１２の筒状体１２Ａ内周側に形成されたホルダ収容部で、該ホルダ収容部１３は、図４に示す如く、縦長なほぼ長方形状の角穴部１３Ａと、該角穴部１３Ａの上縁に位置して左，右方向に広幅なスリット穴部１３Ｂとにより軸方向に延びる略Ｔ字形状の穴として形成されている。そして、角穴部１３Ａには、図３に示すように、後述するカプセルホルダ１６の引出し部１６Ａが出入れ可能に収容される。また、スリット穴部１３Ｂには、前記引出し部１６Ａに保持された状態でブリスタカプセル１の底板部２と蓋板部４とが出し入れ可能に収容される。
【００２５】
１４はボディ１２の他側に螺着されたマウスピースで、該マウスピース１４は、軸方向に延びる円筒体として形成され、その内部は粉末製剤６を吸入する吸入口１４Ａとなっている。また、マウスピース１４の一側は、その周面が患者がくわえ易いように他側に向けて漸次縮径している。また、マウスピース１４の奥部には、粉末製剤６を拡散したり、ブリスタカプセル１の破片等を捕らえるためのメッシュ部材１５が設けられている。
【００２６】
１６はボディ１２のホルダ収容部１３に出入れ可能に設けられたカプセルホルダで、該カプセルホルダ１６は、ブリスタカプセル１を保持した状態で吸入式投薬器１１に装着したり、取出したりするものである。
【００２７】
そして、カプセルホルダ１６は、図５、図６に示す如く、ホルダ収容部１３の角穴部１３Ａ内に嵌るように軸方向に延びて形成された引出し部１６Ａと、該引出し部１６Ａの上面側に軸方向に延びる断面半円弧状の凹溝として形成さた膨出部嵌合凹部１６Ｂと、前記引出し部１６Ａから下側に突出したガイド部１６Ｃと、前記引出し部１６Ａの一端部を取囲む円環状に形成されたキャップ１６Ｄと、該キャップ１６Ｄと引出し部１６Ａとを連結するために放射状に形成された複数本、例えば４本の脚部１６Ｅと、該各脚部１６Ｅ間に設けられた空気取入れ口１６Ｆとにより大略構成されている。
【００２８】
このように形成されたカプセルホルダ１６は、キャップ１６Ｄの外周側を把持し、ホルダ収容部１３の角穴部１３Ａから引出し部１６Ａを引出す。これにより、膨出部嵌合凹部１６Ｂにブリスタカプセル１（膨出部３）を嵌合させたり、使用済みのブリスタカプセル１を取出したりすることができる。
【００２９】
また、膨出部嵌合凹部１６Ｂにブリスタカプセル１を嵌合させた状態で、引出し部１６Ａをホルダ収容部１３の角穴部１３Ａ内に押込む。これにより、ブリスタカプセル１は、図３、図７に示す如く、底板部２と蓋板部４をスリット穴部１３Ｂに挿入することができ、カプセルホルダ１６と一緒に所定の位置に保持することができる。
【００３０】
次に、１７はボディ１２の一側寄りに位置して設けられた流入側のピン挿入穴で、該ピン挿入穴１７は、ボディ１２に形成されたボディ側挿入穴１７Ａと、カプセルホルダ１６に形成されたホルダ側挿入穴１７Ｂとにより構成されている。
【００３１】
また、１８はボディ１２の他側寄りに位置して設けられた流出側のピン挿入穴で、該ピン挿入穴１８は、流入側のピン挿入穴１７と平行に延びたボディ側挿入穴１８Ａとホルダ側挿入穴１８Ｂとにより構成されている。
【００３２】
１９はブリスタカプセル１に空気を流入する流入側通路で、該流入側通路１９は、流入側のピン挿入穴１７に連通したボディ側通路１９Ａと、該ボディ側通路１９Ａとは別にホルダ収容部１３の角穴部１３Ａとカプセルホルダ１６の引出し部１６Ａとの間に設けられたホルダ側通路１９Ｂとにより構成されている。そして、流入側通路１９は、カプセルホルダ１６の空気取入れ口１６Ｆを介して大気側に連通可能となっている。
【００３３】
２０はブリスタカプセル１から粉末製剤６を含んだ空気をマウスピース１４の吸入口１４Ａ側に流出する流出側通路で、該流出側通路２０は、流出側のピン挿入穴１８に連通したボディ側通路２０Ａと、該ボディ側通路２０Ａとは別に角穴部１３Ａと引出し部１６Ａとの間に設けられたホルダ側通路２０Ｂとにより構成されている。
【００３４】
一方、２１は各通路１９，２０と９０度ずらした位置でボディ１２の筒状体１２Ａを軸方向に貫通するように穿設された２本の補助通気路（図４中に図示）で、該各補助通気路２１は、息を吸込むときに流通する空気の流量を増やすことで、このときの息苦しさを解消している。
【００３５】
２２はボディ１２に設けられた穴あけ具で（図３、図７参照）、該穴あけ具２２は、カプセルホルダ１６に収容されたブリスタカプセル１に穴あけを施すものである。また、穴あけ具２２は、ボディ１２の穴あけ具ガイド１２Ｂ内に可動に支持された支持部２２Ａと、該支持部２２Ａからピン挿入穴１７，１８に向けて延び、先端が鋭利に形成されたピン２２Ｂ，２２Ｂと、前記支持部２２Ａと筒状体１２Ａとの間に設けられ、支持部２２Ａ等を初期位置に戻す戻しばね２２Ｃとにより大略構成されている。
【００３６】
そして、穴あけ具２２は、支持部２２Ａを戻しばね２２Ｃに抗して穴あけ具ガイド１２Ｂ内に押込み、ピン２２Ｂ，２２Ｂをピン挿入穴１７，１８に挿入することにより、図７に示す如く、各ピン２２Ｂの先端をブリスタカプセル１に突き刺し、該ブリスタカプセル１の底板部２（膨出部３）と蓋板部４に収容空間５を上，下方向に貫通する合計４個の穴Ｈをあけるものである。
【００３７】
本実施の形態による吸入式投薬器１１は上述の如き構成を有するもので、次に、患者がブリスタカプセル１に収容した粉末製剤６を吸入するときの動作について説明する。
【００３８】
まず、カプセルホルダ１６をホルダ収容部１３から引出し、引出し部１６Ａの膨出部嵌合凹部１６Ｂに膨出部３を嵌合するようにブリスタカプセル１を取付ける。この状態で、引出し部１６Ａをホルダ収容部１３の角穴部１３Ａに押込み、ブリスタカプセル１の底板部２と蓋板部４とをスリット穴部１３Ｂに押込んで該ブリスタカプセル１をセットする。次に、穴あけ具２２の支持部２２Ａをボディ１２の穴あけ具ガイド１２Ｂに沿って押込むことにより、各ピン２２Ｂによりブリスタカプセル１の底板部２（膨出部３）と蓋板部４に４個の穴Ｈを形成する。
【００３９】
このようにブリスタカプセル１に各穴Ｈをあけたら、患者はマウスピース１４を口にくわえて息を吸込むことにより、気管、肺、気管支等に粉末製剤６を投与することができる。
【００４０】
かくして、第１の実施の形態によれば、吸入粉末製剤用ブリスタカプセル１の底板部２と蓋板部４とを円板状に形成し、その直径寸法Ｄ１は患者が飲むことが困難な大きさとなる２５ｍｍ以上に設定している。従って、患者がブリスタカプセル１を飲もうとしても、底板部２と蓋板部４により飲むことができないから、間違えて飲込むような事態を未然に防ぐことができ、信頼性を向上することができる。また、底板部２の直径寸法Ｄ１を２５〜８０ｍｍの範囲に設定することにより、ブリスタカプセル１の取扱いを容易に行なうことができる。
【００４１】
また、底板部２と蓋板部４は、アルミニウム、プラスチック、ゼラチン、セルロース等を用いて形成しているから、色々な材料から形成することができる。
【００４２】
次に、図８および図９は本発明の第２の実施の形態を示している。この第２の実施の形態の特徴は、吸入粉末製剤用ブリスタカプセルの底板部と蓋板部とを正方形に形成し、底板部の膨出部を円形状に形成する構成としたことにある。なお、第２の実施の形態では、前述した第１の実施の形態と同一の構成要素に同一の符号を付し、その説明を省略するものとする。
【００４３】
図８において、３１は第２の実施の形態による吸入粉末製剤用ブリスタカプセルで、該ブリスタカプセル３１は、第１の実施の形態によるブリスタカプセル１とほぼ同様に、患者が飲込むことができないような大きさに形成されている。そして、ブリスタカプセル３１は、粉末製剤６を収容するもので、後述する底板部３２と蓋板部３４とにより大略構成されている。
【００４４】
３２はブリスタカプセル３１の底板部で、該底板部３２は、第１の実施の形態による底板部２と同様に、例えばアルミニウム、プラスチック、ゼラチン、セルロース等の材料を用いて形成されている。また、底板部３２は、図８、図９に示すように、正方形状に形成され、その中央部には膨出部３３が一体に形成されている。そして、膨出部３３は、短尺な有底円筒形状の膨らみとして形成されている。
【００４５】
ここで、正方形状の底板部３２は、その１辺の長さ寸法Ｌ１が患者が飲むことが困難な大きさ、具体的には２５ｍｍ以上に設定されている。これにより、患者がブリスタカプセル３１を飲もうとした場合でも、大きな１辺の長さ寸法Ｌ１を有する底板部３２により飲むのを阻止することができる。
【００４６】
また、底板部３２の１辺の長さ寸法Ｌ１は２５ｍｍ以上とすればよいが、第１の実施の形態と同様に、好ましくは、ブリスタカプセル３１を取扱うときの便宜性を考えて、２５〜８０ｍｍの範囲に設定するのが適正である。
【００４７】
３４は底板部３２の表面に貼付けられた蓋板部で、該蓋板部３４は、底板部３２の膨出部３３を閉塞して粉末製剤６を収容する収容空間３５を画成している。また、蓋板部３４は、底板部３２とほぼ同様の材料を用い、該底板部３２と同様に１辺の長さ寸法Ｌ１となる正方形状に形成されている。
【００４８】
かくして、このように構成された第２の実施の形態においても、前述した第１の実施の形態とほぼ同様の作用効果を得ることができる。特に、第２の実施の形態によれば、底板部３２と蓋板部３４を正方形状に形成しているから、１辺の長さ寸法Ｌ１を２５ｍｍ以上とすることで、ブリスタカプセル３１の誤飲を防止することができる。
【００４９】
次に、図１０および図１１は本発明の第３の実施の形態を示している。この第３の実施の形態の特徴は、吸入粉末製剤用ブリスタカプセルの蓋板部だけを大きな円板状に形成したことにある。なお、第３の実施の形態では、前述した第１の実施の形態と同一の構成要素に同一の符号を付し、その説明を省略するものとする。
【００５０】
図１０において、４１は第３の実施の形態による吸入粉末製剤用ブリスタカプセルで、該ブリスタカプセル４１は、第１の実施の形態によるブリスタカプセル１とほぼ同様に、患者が飲込むことができないような大きさに形成されている。そして、ブリスタカプセル４１は、粉末製剤６を収容するもので、後述する底板部４２と蓋板部４４とにより大略構成されている。
【００５１】
４２はブリスタカプセル４１の底板部で、該底板部４２は、第１の実施の形態による底板部２と同様の材料を用いて形成されている。また、底板部４２は、図１０、図１１に示すように、長円形状に形成され、その大部分は膨出部４３となっている。そして、底板部４２は全体が２５ｍｍ以下の寸法で形成されている。
【００５２】
４４は底板部４２の表面に貼付けられた蓋板部で、該蓋板部４４は、底板部４２の膨出部４３を閉塞して粉末製剤６を収容する収容空間４５を画成している。また、蓋板部４４は、底板部４２とほぼ同様の材料を用いて大きな円板状に形成されている。
【００５３】
ここで、円板状の蓋板部４４は、その直径寸法Ｄ２が患者が飲むことが困難な大きさ、具体的には２５ｍｍ以上に設定されている。これにより、患者がブリスタカプセル４１を飲もうとした場合でも、大きな直径寸法Ｄ２を有する蓋板部４４により飲むのを阻止することができる。
【００５４】
かくして、このように構成された第３の実施の形態においても、前述した第１の実施の形態とほぼ同様の作用効果を得ることができる。特に、第３の実施の形態によれば、底板部４２を小さく形成し、蓋板部４４だけを２５ｍｍ以上の大きな円板状に形成しているから、底板部４２に要する材料費を削減することができ、製造コストを低減することができる。
【００５５】
次に、図１２および図１３は本発明の第４の実施の形態を示している。この第４の実施の形態の特徴は、吸入粉末製剤用ブリスタカプセルの底板部だけを大きな円板状に形成したことにある。なお、第４の実施の形態では、前述した第１の実施の形態と同一の構成要素に同一の符号を付し、その説明を省略するものとする。
【００５６】
図１２において、５１は第４の実施の形態による吸入粉末製剤用ブリスタカプセルで、該ブリスタカプセル５１は、第１の実施の形態によるブリスタカプセル１とほぼ同様に、患者が飲込むことができないような大きさに形成されている。そして、ブリスタカプセル５１は、粉末製剤６を収容するもので、後述する底板部５２と蓋板部５４とにより大略構成されている。
【００５７】
５２はブリスタカプセル５１の底板部で、該底板部５２は、第１の実施の形態による底板部２と同様の材料を用いて形成されている。また、底板部５２は、図１２、図１３に示すように、円板状に形成され、その中央部には直径方向に長円形状に延びた膨出部５３が形成されている。ここで、円板状の底板部５２は、その直径寸法Ｄ３が患者が飲むことが困難な大きさ、具体的には２５ｍｍ以上に設定されている。
【００５８】
５４は底板部５２の表面に貼付けられた蓋板部で、該蓋板部５４は、底板部５２の膨出部５３を閉塞して粉末製剤６を収容する収容空間５５を画成している。また、蓋板部５４は、底板部５２とほぼ同様の材料を用い、膨出部５３よりも僅かに大きな長円形状に形成されている。
【００５９】
かくして、このように構成された第４の実施の形態においても、前述した第３の実施の形態とほぼ同様の作用効果を得ることができる。特に、第４の実施の形態によれば、蓋板部５４を小さく形成した分だけ材料費を削減し、製造コストを低減することができる。
【００６０】
次に、図１４および図１５は本発明の第５の実施の形態を示している。この第５の実施の形態の特徴は、吸入粉末製剤用ブリスタカプセルの底板部と蓋板部とを長方形状に形成したことにある。なお、第５の実施の形態では、前述した第１の実施の形態と同一の構成要素に同一の符号を付し、その説明を省略するものとする。
【００６１】
図１４において、６１は第５の実施の形態による吸入粉末製剤用ブリスタカプセルで、該ブリスタカプセル６１は、第１の実施の形態によるブリスタカプセル１とほぼ同様に、患者が飲込むことができないような大きさに形成されている。そして、ブリスタカプセル６１は、粉末製剤６を収容するもので、後述する底板部６２と蓋板部６４とにより大略構成されている。
【００６２】
６２はブリスタカプセル６１の底板部で、該底板部６２は、図１４、図１５に示すように、第１の実施の形態による底板部２と同様の材料を用いて長方形状に形成されている。また、底板部６２の中央部には、長さ方向に長円形状に延びた膨出部６３が形成されている。
【００６３】
ここで、長方形状の底板部６２は、最も小さい部分となる短辺部６２Ａの長さ寸法Ｌ２が患者が飲むことが困難な大きさ、具体的には２５ｍｍ以上に設定されている。
【００６４】
６４は底板部６２の表面に貼付けられた蓋板部で、該蓋板部６４は、底板部６２の膨出部６３を閉塞して粉末製剤６を収容する収容空間６５を画成している。また、蓋板部６４は、底板部６２とほぼ同様の材料を用い、該底板部６２と同様の長方形状に形成されている。
【００６５】
かくして、このように構成された第５の実施の形態においても、前述した第１の実施の形態とほぼ同様の作用効果を得ることができる。
【００６６】
なお、第１の実施の形態では、吸入粉末製剤用ブリスタカプセル１を円板状に形成し、第２の実施の形態では、吸入粉末製剤用ブリスタカプセル３１を正方形状に形成し、第５の実施の形態では、吸入粉末製剤用ブリスタカプセル６１を長方形状に形成した場合を例に挙げて説明した。しかし、本発明はこれに限らず、例えば吸入粉末製剤用ブリスタカプセルを長円形状、楕円形状、六角形状等の他の形状に形成する構成としてもよい。
【図面の簡単な説明】
【図１】本発明の第１の実施の形態に係る吸入粉末製剤用ブリスタカプセルを示す縦断面図である。
【図２】図１に示す吸入粉末製剤用ブリスタカプセルの平面図である。
【図３】第１の実施の形態に係る吸入粉末製剤用ブリスタカプセルが装着された吸入式投薬器を示す縦断面図である。
【図４】カプセルホルダを取外した吸入式投薬器の右側面図である。
【図５】カプセルホルダを単体で拡大して示す拡大縦断面図である。
【図６】図５に示すカプセルホルダの右側面図である。
【図７】吸入口から空気を吸入している状態の吸入式投薬器を示す縦断面図である。
【図８】本発明の第２の実施の形態に係る吸入粉末製剤用ブリスタカプセルを示す縦断面図である。
【図９】図８に示す吸入粉末製剤用ブリスタカプセルの平面図である。
【図１０】本発明の第３の実施の形態に係る吸入粉末製剤用ブリスタカプセルを示す縦断面図である。
【図１１】図１０に示す吸入粉末製剤用ブリスタカプセルの平面図である。
【図１２】本発明の第４の実施の形態に係る吸入粉末製剤用ブリスタカプセルを示す縦断面図である。
【図１３】図１２に示す吸入粉末製剤用ブリスタカプセルの平面図である。
【図１４】本発明の第５の実施の形態に係る吸入粉末製剤用ブリスタカプセルを示す縦断面図である。
【図１５】図１４に示す吸入粉末製剤用ブリスタカプセルの平面図である。
【符号の説明】
１，３１，４１，５１，６１  吸入粉末製剤用ブリスタカプセル
２，３２，４２，５２，６２  底板部
３，３３，４３，５３，６３  膨出部
４，３４，４４，５４，６４  蓋板部
５，３５，４５，５５，６５  収容空間
６  粉末製剤
１１  吸入式投薬器
Ｄ１，Ｄ２，Ｄ３  直径寸法
Ｌ１，Ｌ２  １辺の長さ寸法
【図１】
2005021502.tif 000003
【図２】
2005021502.tif 000004
【図３】
2005021502.tif 000005
【図４】
2005021502.tif 000006
【図５】
2005021502.tif 000007
【図６】
2005021502.tif 000008
【図７】
2005021502.tif 000009
【図８】
2005021502.tif 000010
【図９】
2005021502.tif 000011
【図１０】
2005021502.tif 000012
【図１１】
2005021502.tif 000013
【図１２】
2005021502.tif 000014
【図１３】
2005021502.tif 000015
【図１４】
2005021502.tif 000016
【図１５】
2005021502.tif 000017